(57)【要約】【課題】投影レンズの歪みの影響による照射像の外形輪郭形状の変形を緩和して視認性の低下を抑制することができる光源モジュールを提供する。【解決手段】光源モジュール２２ｂは、基板３３と、この基板３３上に、複数の光源６０が並んだ光源列６１が列方向Ｙに垂直な直交方向Ｘに複数配置されてなる光源群６２ｂとを有する。光源群６２ｂは、列方向Ｙの幅よりも直交方向Ｘの長さが長く形成されている。また、複数の光源６０の列方向Ｙの間隔、及び、光源列６１の間隔が、直交方向Ｘにおける光源群６２ｂの端部から中央部にかけて漸増する。【選択図】図５
2018142595.tif 000002
【特許請求の範囲】
【請求項１】
基板と、この基板上に、複数の光源が並んだ光源列が列方向に垂直な直交方向に複数配置されてなる光源群と、を有する光源モジュールであって、
前記光源群は、列方向の幅よりも前記直交方向の長さが長く形成され、
前記複数の光源の列方向の間隔、及び、前記光源列の間隔が、前記直交方向における前記光源群の端部から中央部にかけて漸増または漸減する、
光源モジュール。
【請求項２】
前記複数の光源の列方向の間隔、及び、前記光源列の間隔が、前記直交方向における前記光源群の端部から中央部にかけて１又は複数の前記光源列ごとに漸増する、請求項１に記載の光源モジュール。
【請求項３】
前記光源群における前記光源の分布密度は、前記光源群の端部で大きくなり、前記中央部で小さくなる、請求項２に記載の光源モジュール。
【請求項４】
前記複数の光源の列方向の間隔、及び、前記光源列の間隔が、前記直交方向における前記光源群の端部から中央部にかけて１又は複数の前記光源列ごとに漸減する、請求項１に記載の光源モジュール。
【請求項５】
前記基板上における光源の分布密度は、前記光源群の端部で小さくなり、前記中央部で大きくなる、請求項４に記載の光源モジュール。
【請求項６】
請求項１〜５のいずれか一項に記載の光源モジュールを用いた照明装置。
【請求項７】
請求項６に記載の照明装置を用いた移動体。
【発明の詳細な説明】
【技術分野】
【０００１】
本開示は、光源モジュール、照明装置、及び移動体に関する。
【背景技術】
【０００２】
従来、特許文献１には、基板上に多数の発光ダイオード（以下、ＬＥＤという）をマトリクス状に実装し、各ＬＥＤに接続された駆動回路を制御回路によって制御することにより、各ＬＥＤの輝度を個別に制御可能にしたＬＥＤ点灯装置が記載されている。
【先行技術文献】
【特許文献】
【０００３】
【特許文献１】特開２００９−１３４９３３号公報
【発明の概要】
【発明が解決しようとする課題】
【０００４】
ところで、上記のようなＬＥＤ点灯装置を車両用前照灯に用いた場合、ＬＥＤ点灯装置から出射された光を投影レンズを介して車両前方に照射することがある。その場合、投影レンズの歪みの影響により、車両前方に形成される照射像の外形輪郭形状がＬＥＤ点灯装置の光源群の外形輪郭形状とは非相似の形状に変形し、視認性が低下することがある。
【０００５】
本開示の目的は、投影レンズの歪みの影響による照射像の外形輪郭形状の変形を緩和して視認性の低下を抑制することができる光源モジュール、照明装置、及び移動体を提供することにある。
【課題を解決するための手段】
【０００６】
本開示の一態様に係る光源モジュールは、基板と、この基板上に、複数の光源が並んだ光源列が列方向に垂直な直交方向に複数配置されてなる光源群と、を有する。前記光源群は、列方向の幅よりも前記直交方向の長さが長く形成されている。また、前記複数の光源の列方向の間隔、及び、前記光源列の間隔が、前記直交方向における前記光源群の端部から中央部にかけて漸増または漸減する。
【０００７】
本開示の別態様は上記光源モジュールを用いた照明装置であり、本開示のさらに別態様は上記照明装置を用いた移動体である。
【発明の効果】
【０００８】
本開示の光源モジュール、照明装置、及び移動体では、複数の光源の列方向の間隔、及び、光源列の間隔が、列方向に垂直な直交方向における光源群の端部から中央部にかけて漸増または漸減させている。このように複数の光源の間隔及び光源列の間隔を漸増または漸減させることで、投影レンズの歪みの影響による照射像の外形輪郭の変形を緩和して視認性の低下を抑制することができる。
【図面の簡単な説明】
【０００９】
【図１】本開示の一実施形態である光源モジュールを用いた照明装置が前照灯として搭載された自動車を示す正面図である。
【図２】図１の照明装置の一部断面図である。
【図３】図１の照明装置を分解した際の、光源モジュール、導光部材、及び投影レンズの分解斜視図である。
【図４】照明装置を含む機能ブロック図である。
【図５】（ａ−１）は比較例の光源モジュールの正面図、（ａ−２）は（ａ−１）の光源モジュールによる照射像を等光度曲線で示す図、（ｂ−１）は第１実施形態の光源モジュールを示す正面図、（ｂ−２）は（ｂ−１）の光源モジュールによる照射像を等光度曲線で示す図である。
【図６】（ａ−１）は比較例の光源モジュールの正面図、（ａ−２）は（ａ−１）の光源モジュールによる照射像を等光度曲線で示す図、（ｂ−１）は第２実施形態の光源モジュールを示す正面図、（ｂ−２）は（ｂ−１）の光源モジュールによる照射像を等光度曲線で示す図である。
【発明を実施するための形態】
【００１０】
以下に、本開示に係る実施の形態について添付図面を参照しながら詳細に説明する。この説明において、具体的な形状、材料、数値、方向等は、本開示の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１１】
図１は、本開示の一実施形態である光源モジュールを用いた照明装置２が前照灯として搭載された自動車１の正面図である。図１に示すように、この自動車１は、照明装置２、バッテリ４、及び制御部６を備える。照明装置２は、自動車１の前端部の幅方向両側に搭載される。また、バッテリ４は、エンジンコンパートメント内に搭載される。照明装置２は、バッテリ４から供給される電力によって点灯する。
【００１２】
制御部６は、照明装置２に含まれる光源モジュールの点灯／消灯等を制御する機能を有する。制御部６は、照明装置２のケース内に設置されてもよいし、或いは、ケース外に設置されてもよい。ケース外に設置される場合、制御部６は、自動車１を統括制御する制御部の一部として構成されてもよい。
【００１３】
図２は、照明装置２の一部断面図であり、図３は、照明装置２を分解した際の、光源モジュール２２、プライマリレンズ２３、及び投影レンズ２４の分解斜視図である。以下、図２及び図３を用いて、照明装置２の構造について説明する。
【００１４】
図２に示すように、照明装置２は、光源モジュール２２、導光部材としてのプライマリレンズ２３、及び投影レンズ（またはプロジェクタレンズ）２４をケース２１内に備える。光源モジュール２２は、基板３３と、基板３３の表側（投影レンズ２４側）に間隔をおいて実装された複数の光源６０を有する。光源モジュール２２は、固定手段の例示である締結部材や接着剤等によって基板取付板２５に固定される。基板取付板２５は、例えばケース２１の底部を形成する平板部２１ａに、例えばボルト２７ａ及びナット２７ｂ等によって取り付けられる。
【００１５】
光源モジュール２２の各光源６０は、複数の発光ダイオード（以下、ＬＥＤという）で好適に構成される。光源モジュール２２には、各光源６０に電力を供給するためのケーブル５５が電気的に接続される。ケーブル５５は、例えば基板取付板２５に設けられた貫通孔とケース底部に設けられた貫通孔を通過し、ケース内側からケース外側に引き出されて、後述する駆動回路に接続される。基板３３上における光源６０の配置については、図５等を参照して後に詳述する。なお、光源６０は、ＬＥＤ以外の他の発光素子、例えば、半導体レーザ素子などによって構成されてもよい。
【００１６】
プライマリレンズ２３は、複数の光源６０の光出射側に配設される。プライマリレンズ２３は、光源６０の数と同一の数の複数の導光部４０を有する。各導光部４０は、光源６０の光出射側に配置される光入射面５１と、光入射面５１とは反対側の端部に配設される光出射面５２とを含む。複数の導光部４０は、複数の光源６０に一対一に対応し、各導光部４０は、対応する光源６０からの光を光入射面５１から光出射面５２まで導光する。各導光部４０の光出射面側の端部の周囲部は、隣り合う導光部４０の光出射面側の端部の周囲部と一体に形成されている。その結果、複数の導光部４０が連結され、一体のプライマリレンズ２３が構成される。
【００１７】
プライマリレンズ２３は、例えばプライマリ固定部材２６によってケース側壁部２１ｂに固定される。プライマリ固定部材２６は、プライマリレンズ２３の側方に全周に亘って接触することで当該側方を拘束する環状部３７、ケース側壁部２１ｂの内側面に対応する取付面を有する板状の取付部３８、及び、環状部３７と取付部３８とを連結する連結部３９を有する。取付部３８が、固定手段の例示であるボルト２８ａ及びナット２８ｂでケース側壁部２１ｂに取り付けられることで、プライマリレンズ２３がケース２１に固定される。
【００１８】
投影レンズ２４は、プライマリレンズ２３の光出射面５２に対して光源モジュール２２側とは反対側に対向配置される。投影レンズ２４の光出射側の面は凸面２４ｂで構成され、投影レンズ２４の入射側の面は平面２４ｃで構成される。ケース２１は、軸方向（底部の底面の法線方向）の一方側が開口し、当該一方側の縁部２４ａが円筒内周面２１ｃを有する。投影レンズ２４は、その縁部２４ａが円筒内周面２１ｃに固定される。
【００１９】
プライマリレンズ２３は、光源６０の数と同じ数の導光部４０を有する。各光源６０からの光は、その光源６０に対応する導光部４０の光入射面５１に入射し、対応する導光部４０の光出射面５２から出射される。プライマリレンズ２３の複数の光出射面５２は、図５を参照して後述する光源６０の配置と対応した配置となっている。
【００２０】
各光源６０から出射された光は、対応する導光部４０を通過して当該導光部４０の光出射面５２から出射される。各導光部４０の光出射面５２から出射された光は、投影レンズ２４の平面２４ｃに入射し、投影レンズ２４の凸面２４ｂから照明装置２の外部に車両前方へ向けて照射される。
【００２１】
図４は、照明装置２を含む機能ブロック図である。図４に示すように、照明装置２は、光源モジュール２２に加えて、駆動回路３０を備える。駆動回路３０は、図示しない回路基板に実装され、照明装置２のケース２１内に配置される。
【００２２】
駆動回路３０は、バッテリ４に電気的に接続されている。駆動回路３０は、例えば、照明装置２に含まれる光源６０に夫々に対応する複数のスイッチング部を有する。各スイッチング部は、制御部６からの信号に基づいて独立してオンオフ制御される。各スイッチング部は、例えば、トランジスタ等で構成される。制御部６にオン制御されたスイッチング部に対応する光源６０は、バッテリ４から電力が供給されて点灯する。このように各光源６０は、駆動回路３０によって個別に電力供給されて、点灯／消灯等の点灯状態が制御される。
【００２３】
制御部６は、例えば、マイクロコンピュータによって好適に構成される。制御部６は、ＣＰＵ（Central Processing Unit）と、ＲＡＭ(Random Access Memory)、ＲＯＭ(Read Only Memory)等の記憶部とを備える。ＣＰＵは、記憶部に予め記憶されたプログラム等を読み出して実行する機能を有する。ＲＡＭは、読み出したプログラムや処理データを一時的に記憶する機能を有する。また、ＲＯＭは、制御プロラムや所定の閾値等を予め記憶する機能を有する。制御部６は、マイクロコンピュータによって実行されるソフトウエアによって実現できるが、その一部がハードウエアによって構成されてもよい。
【００２４】
次に、図５を参照して、第１実施形態の光源モジュール２２ｂについて説明する。図５（ａ−１）は比較例の光源モジュール２２ａの正面図、同（ａ−２）は（ａ−１）の光源モジュール２２ａによる照射像を等光度曲線で示す図、同（ｂ−１）は第１実施形態の光源モジュール２２ｂを示す正面図、（ｂ−２）は（ｂ−１）の光源モジュール２２ｂによる照射像を等光度曲線で示す図である。図５（ａ−１），（ａ−２）において、光源６０の列方向が矢印Ｙで示され、列方向に垂直な直交方向が矢印Ｙで示されている。
【００２５】
図５（ａ−１）を参照すると、比較例の光源モジュール２２ａは、長方形状の基板３３上に、複数の光源６０が行列状（またはマトリクス状）に配置されている。より詳しくは、光源モジュール２２ａは、５行２９列で配列された合計１４５個の光源６０を含み、これらの光源６０で光源群６２ａが構成される。光源群６２ａの外形輪郭形状は、基板３３と相似形状の長方形状をなしている。すなわち、光源モジュール２２ａでは、光源群６２ａの列方向Ｙの幅Ｗ０が、列方向に垂直な行方向Ｘに亘って一定になっている。その結果、光源群６２ａにおける光源６０の分布密度も、光源群６２ａの全体で一定になっている。
【００２６】
このような光源モジュール２２ａから出射された光が上述したようにプライマリレンズ２３及び投影レンズ２４を通して照射されたとき、図５（ａ−２）に示すように、投影レンズ２４が持つ歪みの影響を受けて照射像６４ａの外形輪郭形状が変形する。具体的には、光源モジュール２２ａとは反対側に凸面２４ｂを有する投影レンズ２４の歪みの影響により、照射像６４ａは、横方向両端部で縦方向に幅広となり、横方向中央部でくびれることで縦方向に幅狭になる。この場合の照射像６４ａの外形輪郭形状は、例えばひょうたん状になる。照射像６４ａの縦方向Ｙ−Ｙは光源群６２ａの列方向Ｙに対応し、照射像６４ａの横方向Ｘ−Ｘは光源群６２ａの行方向Ｘに対応する。このように照射像６４ａの外形輪郭形状が形成されることで、横方向中央部での視野が狭くなって車両前方の視認性が低下することになる。
【００２７】
これに対し、第１実施形態の光源モジュール２２ｂでは、図５（ｂ−１）に示すように、光源群６２ｂを構成する光源６０の配置間隔が変化するように工夫している。
【００２８】
具体的には、光源モジュール２２ｂは、上記光源モジュール２２ａと同様に長方形状の基板３３上に実装された複数の光源６０からなる光源群６２ｂを有する。光源群６２ｂは、複数の光源６０が列方向Ｙに並んだ光源列６１を、列方向Ｙに垂直な直交方向Ｘに複数配置して構成される。
【００２９】
光源群６２ｂに含まれる光源６０の数は、上記比較例の光源モジュール２２ａと同数の１４５個である。また、光源群６２ｂに含まれる各光源列６１を構成する光源６０の数は、比較例の光源モジュール２２ａと同数の５個としてある。さらに、光源群６２ｂにおいて、列方向Ｙの幅よりも直交方向Ｘの長さが長く形成される点も、比較例の光源モジュール２２ａと同様である。
【００３０】
この光源モジュール２２ｂが上記比較例の光源モジュール２２ａと相違する点は、複数の光源６０の列方向Ｙの間隔、及び、光源列６１の間隔が、直交方向Ｘにおける光源群６２ｂの端部から中央部にかけて１又は複数の光源列６１ごとに漸増する点である。
【００３１】
具体的には、光源群６２ｂにおいて、直交方向Ｘの両側端部では、光源列６１を構成する光源６０同士の列方向Ｙの間隔は小さいが、直交方向Ｘの中央部にいくにしたがって光源列６１を構成する光源６０同士の間隔が大きくなるように配置されている。これにより、光源群６２ｂでは、直交方向Ｘの端部の幅Ｗ１よりも中央部の幅Ｗ２が大きくなっている。
【００３２】
また、光源群６２ｂでは、光源列６１の間隔もまた、直交方向Ｘの端部から中央部にかけて１又は複数の光源列６１ごとに次第に大きくなっている。これにより、光源群６２ｂの直交方向Ｘの長さＬｂは、比較例の光源群６２ａの直交方向Ｘの長さＬａよりも長くなっている。
【００３３】
このように第１実施形態の光源モジュール２２ｂでは、光源６０同士の直交方向Ｘ及び列方向Ｙの間隔が、光源群６２ｂの端部から中央部にかけて１又は複数の光源列６１ごとに次第に大きくなるように形成されている。その結果、基板３３上における光源６０の分布密度は、光源群６２ｂの直交方向Ｘの端部で大きくなり、中央部で小さくなっている。
【００３４】
このように光源６０が配置された光源モジュール２２ｂでは、図５（ｂ−２）に示すように、プライマリレンズ２３及び投影レンズ２４を介して照明装置２から出射された光によって照射像６４ｂが車両前方に投影される。この照射像６４ｂは、投影レンズ２４の歪みの影響が緩和され、光源群６２ｂの直交方向Ｘに対応する横方向に延びた扁平な長方形状に補正される。これにより、図５（ａ−１）と比較すると明らかなように、照射像６４ｂの長手方向中央部での縦方向の照射幅が大きくなって視野が広がることで、車両前方の視認性が向上する。
【００３５】
また、第１実施形態の光源モジュール２２ａでは、光源６０同士の間隔が直交方向Ｘの中央部で大きくなっていることから、特に熱がこもり易い中央部における光源６０の放熱性が向上する。
【００３６】
上述したように第１実施形態の光源モジュール２２ｂは、基板３３と、この基板３３上に、複数の光源６０が並んだ光源列６１が列方向Ｙに垂直な直交方向Ｘに複数配置されてなる光源群６２ｂとを有する。ここで、光源群６２ｂは、列方向Ｙの幅Ｗ１，Ｗ２よりも直交方向Ｘの長さＬｂが長く形成されている。また、複数の光源６０の列方向Ｙの間隔、及び、光源列６１の間隔が、直交方向Ｘにおける光源群６１の端部から中央部にかけて１又は複数の光源列６１ごとに漸増する。換言すれば、光源群６２ｂにおける光源６０の分布密度は、直交方向Ｘにおける光源群６２ｂの端部で大きくなり、中央部で小さくなる。
【００３７】
この構成によれば、光源モジュール２２ｂと反対側に凸面２４ｂを有する投影レンズ２４の歪みの影響による照射像６４ｂの外形輪郭形状の変形が緩和され、車両前方の視認性が向上する。
【００３８】
次に、図６を参照して、第２実施形態の光源モジュール２２ｃについて説明する。図６（ａ−１）は比較例の光源モジュール２２ａの正面図、同（ａ−２）は（ａ−１）の光源モジュール２２ａによる照射像を等光度曲線で示す図、同（ｂ−１）は第２実施形態の光源モジュール２２ｃを示す正面図、同（ｂ−２）は（ｂ−１）の光源モジュール２２ｃによる照射像を等光度曲線で示す図である。図６（ａ−１），（ａ−２）において、光源６０の列方向が矢印Ｙで示され、列方向に垂直な直交方向が矢印Ｘで示されている。
【００３９】
図６（ａ−１）を参照すると、比較例の光源モジュール２２ａは、上記において図５（ａ−１）を参照して説明したものと同じであり、５行２９列で合計１４５個の光源６０が行列状に配置されている。
【００４０】
ここでは、比較例の光源モジュール２２ａから出射された光が、図６（ａ−２）の簡易的な図で示すように、プライマリレンズ２３（ここでは図示せず）と、光源モジュール２２ａ側に凸面２４ｂを向けた投影レンズ２４を通して照射される場合を想定する。この場合、図６（ａ−２）の等光度曲線で示すように、投影レンズ２４が持つ歪みの影響を受けて、照射像６４ｄの輪郭形状が変形する。
【００４１】
具体的には、光源モジュール２２ａ側に凸面２４ｂを有する投影レンズ２４の歪みの影響により、照射像６４ｄは、横方向中央部で縦方向外側に膨出するように幅広となり、横方向端部で縦方向に幅狭になる。この場合の照射像６４ｄの外形輪郭形状は、例えば略楕円状になる。照射像６４ｄの縦方向Ｙ−Ｙは光源群６２ａの列方向Ｙに対応し、照射像６４ｄの横方向Ｘ−Ｘは光源群６２ａの直交方向Ｘに対応する。このように照射像６４ｄの外形輪郭形状が縦方向に膨らんで形成されることで、照射領域の外縁がぼやけて車両前方の視認性が低下することになる。
【００４２】
これに対し、第２実施形態の光源モジュール２２ｃでは、図６（ｂ−１）に示すように、光源群６２ｃを構成する光源６０の配置間隔が変化するように工夫している。具体的には、光源モジュール２２ｃは、第１実施形態の光源モジュール２２ｃとは逆に、複数の光源６０の列方向Ｙの間隔、及び、光源列６１の間隔が、直交方向Ｘにおける光源群６２ｂの端部から中央部にかけて１又は複数の光源列６１ごとに漸減するように形成されている。
【００４３】
より詳しくは、光源群６２ｃにおいて、直交方向Ｘの両側端部では、光源列６１を構成する光源６０同士の列方向の間隔は大きいが、直交方向Ｘの中央部にいくにしたがって光源列６１を構成する光源６０同士の間隔が小さくなるように配置されている。これにより、光源群６２ｃでは、直交方向Ｘの端部の幅Ｗ１よりも中央部の幅Ｗ２が小さくなっている。
【００４４】
また、光源群６２ｃでは、光源列６１の間隔もまた、直交方向Ｘの端部から中央部にいくにしたがって小さくなっている。換言すれば、光源群６２ｃでは、直交方向Ｘの端部において光源列６１の間隔が中央部よりも大きくなっている。このため、光源群６２ｃの直交方向Ｘの長さＬｃは、比較例の光源群６２ａの直交方向Ｘの長さＬａよりも長くなっている。
【００４５】
このように第２実施形態の光源モジュール２２ｃでは、光源６０同士の直交方向Ｘ及び列方向Ｙの間隔が、光源群６２ｂの端部から中央部にかけて１又は複数の光源列６１ごとに次第に小さくなるように形成されている。その結果、基板３３上における光源６０の分布密度は、光源群６２ｂの直交方向Ｘの端部で小さくなり、中央部で大きくなっている。
【００４６】
このように光源６０が配置された光源モジュール２２ｃでは、図６（ｂ−２）に示すように、プライマリレンズ２３及び投影レンズ２４を介して照明装置２から出射された光によって照射像６４ｃが車両前方に投影される。この照射像６４ｃは、投影レンズ２４の歪みの影響が緩和され、光源群６２ｃの直交方向Ｘに対応する横方向に延びた扁平な長方形状に補正される。これにより、図６（ａ−２）と比較すると明らかなように、照射像６４ｃの長手方向中央部での縦方向の照射幅が狭くなり、外縁がよりくっきりとした照射領域が形成されることで車両前方の視認性が向上する。
【００４７】
また、第２実施形態の光源モジュール２２ｃでは、直交方向Ｘ及び列方向Ｙにおける光源６０同士の間隔が直交方向Ｘの端部でより大きくなっていることから、この端部側に配置された光源６０の放熱性が向上する。
【００４８】
上述したように第２実施形態の光源モジュール２２ｃは、基板３３と、この基板３３上に、複数の光源６０が並んだ光源列６１が列方向Ｙに垂直な直交方向Ｘに複数配置されてなる光源群６２ｃとを有する。ここで、光源群６２ｃは、列方向Ｙの幅Ｗ１，Ｗ２よりも直交方向Ｘの長さＬｃが長く形成されている。また、複数の光源６０の列方向Ｙの間隔、及び、光源列６１の間隔が、直交方向Ｘにおける光源群６１の端部から中央部にかけて１又は複数の光源列６１ごとに漸減する。換言すれば、光源群６２ｃにおける光源６０の分布密度は、直交方向Ｘにおける光源群６２ｃの端部で小さくなり、中央部で大きくなる。
【００４９】
この構成によれば、光源モジュール２２ｂ側に凸面２４ｂを有する投影レンズ２４の歪みの影響による照射像６４ｃの外形輪郭形状の変形が緩和され、車両前方の視認性が向上する。
【００５０】
なお、本開示に係る光源モジュールは、上述した実施形態及びその変形例に限定されるものではなく、本願の特許請求の範囲に記載された事項及びその均等な範囲内において、種々の変更や改良が可能である。
【００５１】
上記の照明装置２では、光源モジュール２２，２２ｂ，２２ｃの光源６０からの光がプライマリレンズ２３を介して投影レンズ２４に出射される場合について説明したが、これに限定されるものではない。プライマリレンズ２３を省略して、光源６０からの光が直接に投影レンズ２４に出射されるタイプの照明装置であってもよい。この場合、ケース側壁部の内面を鏡面等の反射面として形成するのが好ましい。これにより、光源モジュールからの光を効率良く投影レンズに導くことができる。
【００５２】
また、上記では照明装置２が搭載される移動体が自動車である場合について説明したが、本開示に係る照明装置を備える移動体は、自動車以外の車両、船舶、飛行機、ロボット等であってもよい。
【符号の説明】
【００５３】
１  自動車、２  照明装置、４  バッテリ、６  制御部、２１  ケース、２１ａ  平板部、２１ｂ  ケース側壁部、２１ｃ  円筒内周面、２２，２２ａ，２２ｂ，２２ｃ  光源モジュール、２３  プライマリレンズ、２４  投影レンズ、２４ａ  縁部、２４ｂ  凸面、２４ｃ  平面、２５  基板取付板、２６  プライマリ固定部材、２７ａ，２８ａ  ボルト、２７ｂ，２８ｂ  ナット、３０  駆動回路、３３  基板、３７  環状部、３８  取付部、３９  連結部、４０  導光部、５１  光入射面、５２  光出射面、５５  ケーブル、６０  光源、６１  光源列、６２ａ，６２ｂ，６２ｃ  光源群、６４ａ，６４ｂ，６４ｃ，６４ｄ  照射像。
【図１】
2018142595.tif 000003
【図２】
2018142595.tif 000004
【図３】
2018142595.tif 000005
【図４】
2018142595.tif 000006
【図５】
2018142595.tif 000007
【図６】
2018142595.tif 000008